(57)【要約】      （修正有）【課題】地震予知用地殻変動計の提供。【解決手段】吊り具の重りの重さや棒の長さをわずかづつ変えた吊り具数組を吊るし、通常は地球の自転の力を受けてばらばらの方向を指している各吊り具が、地震が発生する前になると、地殻変動が発生し、吊り具が並列になる。その並列になる数や並び方から地震の大きさや遠近を知ることが出来る。巨大地震が発生する前になると、吊り具の一部が重力性引力のため一定の方角を指して動かなくなり、また、観測点近くに巨大地震が発生する前には、吊り具が南北に並列になることにより地殻変動を知ることができる。【選択図】  なし【特許請求の範囲】
【請求項１】
▲６▼  国内、国外に巨大地震が発生する前になると、巨大な地殻変動が放射する重力性引力波のため、一部の吊り具（エ）が一定方向を指したまゝ何日も動かなくなり、本震あるいは余震の発生と共に不動状態が消滅するので、巨大な地殻変動の発生とその方位を知ることができる。
▲７▼  上記の方法によって巨大地震の発生を何日も前から予知できると共に、観測点近くに巨大地震が発生する直前になると、並列する吊り具（ウ、オ）のうち南北に並列するものが多く現れるため、観測点近くに巨大地震が発生することを予知することができる。
以上のように構成された地殻変動を捕捉し、地震の発生を予知するための技術
【発明の詳細な説明】
【発明の目的】
図面のような吊り具で地震が予知できる原理は特願平１０−１４５００２で説明した通りです。
予知が不可能と言われる巨大な断層地震の発生が全く予知できないよりは不精確であっても、予知できる方が良い。（阪神大震災・鳥取西部大震災の観測記録をご覧下さい）
また、断層地震よりは前兆現象が多く、予知に時間的余裕があるプレート境界に発生する巨大な境界型地震の予知も不精確だが可能である。（東北はるか沖大地震の観測記録をご覧下さい）
よって、地震が「精確に」予知できる時代が来るまでの過渡期の大地震に対処する方法として、大地震から生命や財産を守るためには、家庭で簡単に大地震をもたらすかもしれない大きな地殻変動が発生したことを知るための技術を確立すればよいわけです。
【発明の構成】
【問題点を解決するための手段】
（１）▲６▼  国内、国外に巨大地震が発生する前になると、巨大な地殻変動が放射する重力性引力波のため、一部の吊り具（エ）が一定方向を指したまゝ何日も動かなくなり、本震あるいは余震の発生と共に不動状態が消滅するので、巨大な地殻変動の発生とその方位を知ることができる。
（註．吊り具（エ）は観測記録のＬ〜Ｔ）
【原理の説明】
国内、海外に巨大地震が発生する前になると、一部の吊り具（エ）が一定方向を指しまゝ何日も動かなくなり、本震あるいは余震の発生と共に不動状態が消滅する現象は次の一例に提示するように、観測記録には枚挙にいとまがない。
平成６年１０月４日に発生した北海道東方沖地震の場合（平成６年１０月３日・４日・５日の観測記録３部）
吊り具Ｎ  ９月９日から１０月４日までの２６日間不動状態
平成６年１０月９日に発生した北海道釧路地震の場合
吊り具Ｎ  １０月５日から１０月１８日までの１４日間不動状態
平成６年１２月２８日に発生した三陸はるか沖地震の場合
吊り具Ｌ  １２月２５日から翌年１月５日までの１２日間不動状態
吊り具Ｍ  １２月２０日から翌年１月９日までの２１日間不動状態
吊り具Ｎ  １０月１９日から翌年１月７日までの８１日間不動状態
平成７年１月１７日に発生した阪神大震災の場合
吊り具Ｌ  １月５日から１月１６日までの１２日間不動状態
吊り具Ｍ  １月１１日から１月１６日までの６日間不動状態
吊り具Ｎ  １月７日から１月１６日までの１１日間不動状態
吊り具Ｐ  前年９月８日から１月１６日までの１３０日間不動状態
平成１２年１０月６日に発生した鳥取西部大地震の場合（平成１２年１０月４日・５日・６日・７日の観測記録４部）
吊り具Ｌ  １０月４日から１０月２２日までの１８日間不動状態
吊り具Ｐ  ９月２６日から１０月６日までの１１日間不動状態
したがって、この現象を説明するためには、「巨大な地殻変動が放射する重力性引力波のため、一部の吊り具が一定方向を指したまま何日も動かなくなり、本震あるいは余震の発生と共に不動状態が消滅する」と結論づける以外に考えられない。
ただし、不動状態の吊り具が指す方位は地球引力の影響を受けているので補正する必要があります。また、他に巨大な地殻変動がある場合も、その重力性引力波の影響を受けるので、その指す方位は互いに補正する必要があります。
したがって、巨大地震発生の場所を特定するには世界中に観測網を設けるか、あるいは、機動観測隊を編成する必要がある。
（２）▲７▼  上記の方法によって巨大地震の発生を何日も前から予知できると共に観測点近くに巨大地震が発生する直前になると、並列する吊り具（ウ、オ）のうち南北に並列するものが多く現れるため、観測点近くに巨大地震が発生することを予知することができる。
（註．吊り具（ウ）は観測記録のＤ、Ｆ。吊り具（オ）は観測記録のＪ）
【原理の説明】
提出してあります北海道東方沖地震、三陸はるか沖地震、阪神大震災、鳥取西部大地震の観測記録を比較しながらご覧下さい。
地震が発生する直前になると、吊り具たちが並列をしている様子がよくお分かりいただけるものと思います。
参  阪神大震災        Ｍ７．２  神戸→京都
考  鳥取西部大地震    Ｍ７．３  境港→京都
資  北海道東方沖地震  Ｍ７．９  釧路→京都
料  三陸はるか沖地震  Ｍ７．５  八戸→京都
そして、巨大地震発生の直前には、吊り具Ｄ・Ｊは観測点（京都）に一番近い阪神大震災の場合は南北に真っすぐに近く、離れるに従って斜めになっている様子がお分かりいただけるものと思います。
もちろん、何百年と観測した結果から結論づけなければならい現象を阪神と鳥取のたたった２回の地震観測から速断するのは危険だとのお叱りをを受けるのは当然のことと思いますが、日常「南北を指す吊り具が現れると観観測点近く（近畿地方）に地震が発生する」ことから推論して、またたった２回とはいえ、そこには共通する同一性があり、次の大地震に備え大地震の発生が全く分からないよりは、不精確だが予知できる可能性があり、利用する価値はあるものと思います。
それでは、観測点近くに巨大地震が発生する直前になると、どうして南北に並列する吊り具が現れるのかの理由は次のように考えられます。
仮説として説明するならば、いん石の落下・火山の噴火・巨大台風・巨大地震などによりマグマに乱れが生じて地球引力が小さくなるため、あるいは、地殻変動が成長して、重力性引力が地球引力より大きくなるため、あるいは、両原因があいまって南北を指すものと考えられます。
ただし、次のような場合にも吊り具が南北を指しますので、注意する必要があります。
（ａ）  南、または北に巨大地殻変動がある場合
（ｂ）  東と西に同じよう大きさの地殻変動が二つ以上ある場合
（ｃ）  深度が５０ｋｍ以上の深い所で発生する地震の前兆として
（ｄ）  観測点近くを台風が通過する前兆として
（ｅ）  大地震発生の前兆現象として、早い時期から出る場合
【実施例】
観測点近くに巨大地震が発生する直前には、南北に並列する吊り具が現れるため、観測点近くに巨大地震が発生することを予知することができる。
よって、吊り具Ｄ、Ｊ、Ｋから１点づつ精選して、警報装置と組み合わせれば簡易な巨大地震予知具ができあがる。
また、国内、国外に巨大地震が発生する前になると、巨大な地殻変動が放射する重力性引力波のため、一部の吊り具が一定方向を指したまゝ何日も動かなくなるので、海外に観測点を増やすとともに、海外で自由に活動できる機動地震観測隊を何隊か編成すれは、巨大地震が発生する場所が特定できる可能性がある。
【図面の簡単な説明】
第１図は本発明の地殻変動を捕捉するための吊り具の見取り図
１は吊り糸
２は棒（ただし、素材は多様）
３は２等辺の吊り糸
４は重り
５は円筒の容器
６は液体（ただし、液体は多様）
７は傾斜方向の矢印
８は円柱（ただし、素材は多様）
９はくさび（ただし、素材は多様）
１０はつり台
１１は４本足の吊り糸
第２図は本発明の吊り具を組にした見取り図
第３図は本発明の吊り具を組にした見取り図
１２は通し穴
第４図は本発明の吊り具を装飾化した見取り図
【図１】
2005003659.tif 000002
【図２】
2005003659.tif 000003
【図３】
2005003659.tif 000004
【図４】
2005003659.tif 000005